(57)【要約】【課題】飲料缶の上蓋に固定されたプルチップのタブを簡単に引上げることができ飲料缶の表面へのほこり等が付着するのを防止して飲料を飲み易すい飲口付きキャップを作る。【解決手段】飲口付きキャップの側壁に、その反転状態でプルチップのタブを挿入するための袋孔を設け、かつ飲口付きキャップ上部に下口唇形飲料ガイドをもった飲口部がプルチップにより開缶された流出開口に対向して設けられている。【選択図】　　　図１
2004123162.tif 000002
【特許請求の範囲】
【請求項１】
缶容器の上面の一部を開口するために、上面のほぼ中央にリベット固定されたプルチップを有する上蓋を缶胴上端に巻締め固定した筒状縁部に固定されるプラスチックから成る飲口付きキャップにおいて、飲口付きキャップの下面に前記筒状縁部を嵌入させるためのリング溝を有しており、飲口付きキャップ上部に下口唇形飲料ガイドをもった飲料流出口を有する飲口部が、前記プルチップにより開口される缶開口部に対向して設けられており、該下口唇形飲料ガイドは飲口付きキャップのほぼ頂部平面内または頂部平面の近傍まで突出し、かつ下口唇形飲料ガイドが飲口付きキャップの円筒側壁部分より、側方に張出しており、張出しは下方から上方に向かって増大しており、前記キャップの飲口部側とは少くとも９０°以上離れた側壁上に開口した袋孔が設けられており、該袋孔に袋孔内に前記飲口付きキャップを反転した状態でプルチップのタブを挿入可能であることを特徴とする缶用飲口キャップ。
【請求項２】
プルチップのタブを挿入可能な袋孔を形成している内壁に、飲口付きキャップの内空間と連通する小さな空気流入孔が設けられている、請求項１記載の缶用飲口キャップ。
【請求項３】
請求項１または２に記載の飲口付きキャップを飲料缶に装着したことを特徴とする飲料缶。
【請求項４】
飲口付きキャップの少くとも飲料流出口を有する飲口部および缶の飲料を飲む際口唇が触れる範囲が剥取り可能なシールで被覆されていることを特徴とする請求項３記載の飲口付きキャップを装着した飲料缶。
【発明の詳細な説明】
【０００１】
【発明の属する技術分野】
本発明はアルミニウム製、スチール製の飲料用の缶用器の上蓋を缶胴上端に巻締め固定した筒状縁部に固定されるプラスチックから成る飲口付きキャップ及び飲口付きキャップを装着した缶用器に関する。
【０００２】
【従来の技術】
従来より缶用器の上面の一部を開口するために上面のほぼ中央にリベット固定されたプルチップを有する上蓋を缶胴上端に巻締め固定した筒状縁部に一部を嵌入により固定されるプラスチックから成る飲口付きキャップは公知である。このキャップは上蓋の上面に当接する底面を有するとともに、この底面に、プルチップを引上げることにより開口された上蓋開口に連通する流出口が形成され、かつこの流出口から流出した飲料をガイドする筒状のガイド壁を備えた飲み口部と、飲み口部にセルフヒンジ部を介して回動可能に連結され、プルチップのタブに引っ掛かるタブ引上爪を備え、上記セルフヒンジ部を中心として回動することにより、タブ引上げ爪がタブを持ち上げるタブ引き上げレバー部を有している（特許文献１参照）。
【０００３】
この場合飲口付きキャップは、プルチップのタブに係合するタブ引上げ爪は短かく引上げ難く、セルフヒンジ部を有しそのセルフヒンジ部は破断し易すく、また缶上蓋の開口に連通する流出口以外の底部は底面を有しており、かつ上蓋を缶胴上端に巻締め固定した筒状縁部の約半周にでしか嵌入固定されず、残りの半周において当接しているだけでばたつくと云う欠点があった。しかもこの飲口付きキャップの缶への装着は面倒で構造も複雑であり、製造コストも高くなると云う問題があった。
【０００４】
また飲料用缶の上蓋上に装着される飲口付きキャップとして丸孔を有する突出部を有し、プルチップ引上げ手段を有しない単なる飲口キャップも公知である。しかしこれはプルチップ引上げ手段がないだけでなく、飲口キャップからボトルの流出口のように高く突出し缶にそのまま装着しておくことは、保管や運搬の点からできない（例えば特許文献２参照）。
【０００５】
その他缶用飲口付きキャップとしてキャップ上面の飲料ガイドが斜め裁断された半円筒形で突出し缶上面に単に被ぶせて、唇が触れる範囲でキャップ外周の一部を垂下させた部分を有するものが公知である（例えば特許文献３参照）。しかしこの公知のものにもプルチップ引上げ手段はなく、半円筒状突出部の高さが高く保管や運搬に不便である。
【０００６】
【特許文献１】
登録実用新案第３０２１８３４号公報
【特許文献２】
登録実用新案第３０２０７６４号公報
【特許文献３】
ドイツ国意匠第４０１０７８６７号公報
【０００７】
【発明が解決しようとする課題】
本発明の課題はビール、お茶、コーラ、ジュース等の、上面開口用のプルチップを有する飲料缶のプルチップのタブを引上げる手段を有しかつ缶表面へのほこり等の付着を防止するとともに飲料を飲むとき口唇が缶の周りに接触せず、ほこり等が飲み込まれないようにした缶用飲口付きキャップ及び飲口付きキャップを備えた飲料缶を提供することである。
【０００８】
【課題を解決するための手段】
上記課題を解決するために請求項１の発明は、缶用器の上面の一部を開口するために、上面のほぼ中央にリベット固定されたプルチップを有する上蓋を缶胴上端に巻締め固定した筒状縁部に固定されるプラスチックから成る飲口付きキャップにおいて、飲口付きキャップの下面に筒状縁部を嵌入させるためのリング溝を有しており、該飲口付きキャップ上部に下口唇形飲料ガイドをもった飲料流出口を有する飲口部が、前記プルチップにより開口される缶開口部に対向して設けられており、該下口唇形飲料ガイドは飲口付きキャップのほぼ頂部平面またはその頂部平面近傍まで突出し、かつ下口唇形飲料ガイドが飲口付きキャップの円筒側壁部分より側方に張出しており、張出しは下方から上方に向かって増大しており、前記キャップの飲口部側とは少なくとも９０゜以上離れた側壁に開口した袋孔が設けられており、該袋孔は袋孔内に前記飲口付きキャップを反転した状態で、プルチップのタブを挿入可能であることを特徴としている。
【０００９】
上述の構成により飲口付きキャップを、上蓋を缶胴上端に巻締め固定した筒状縁部に嵌入により確実に安定に固定でき、しかも飲口付きキャップを反転した状態でその側壁上に開口している、プルチップのタブを挿入可能な袋孔がキャップ内空間に向かって延在しているので、袋孔へプルチップのタブを挿入して押上げて缶上面を容易に開口することができ、缶上面の開口の後、前記筒状縁部に飲口付きキャップの下面のリング溝を嵌入させるので、飲料が缶上面から漏れてこぼれることがない。
【００１０】
さらに飲口付きキャップ上部の下口唇形の飲料ガイドはその先端部がキャップの側壁円筒部より外方に張出しており、この張出しが下方から上方向に向かって増大しており、張出しに飲む人の下口唇によく当接して飲料をこぼすことなく飲むことができ、かつ口唇が缶に接触することなく缶の外側面などのほこり等が口唇に触れないので衛生的に優れている
また下口唇形飲料ガイドは飲口付きキャップの頂部平面内またはその近傍までしか突出しないので、この飲口付きキャップを缶に装着した後、その缶の上に別の缶を積み上げることができ保管や運搬にも好都合である。
【００１１】
さらに請求項２の発明はプルチップタブを挿入可能な袋孔を形成している内壁に、飲口付きキャップの内空間と連通する空気流入孔が設けられていることを特徴としている。
【００１２】
この構成により缶の飲料を、飲口付きキャップを用いて飲んでいるとき、キャップ内が負圧となることなく飲料が飲みやすい。
【００１３】
請求項３の発明は、上記の本発明の飲口付きキャップが飲料缶に装着されていることを特徴としている。
【００１４】
この構成により飲料缶の上面にごみやほこりが付着することなく飲料にごみなどがはいることがなく衛生的に好適である。
【００１５】
請求項４の発明は飲口付きキャップを装着した飲料缶において少なくとも飲口付きキャップの飲料流出口を有する飲口部および缶の飲み物を飲む際使用者の口唇が触れる範囲がはぎ取り可能なシールで被覆されていることを特徴としている。
【００１６】
この構成により飲口部も含めてごみやほこりが付着することなく極めて衛生的である。
【００１７】
【発明の実施の形態】
次に本発明を図示の実施例により説明する。なお図中同一部分には同一参照番号が付けてある。
【００１８】
図１は本発明の飲口付きキャップの実施例の斜視図、図２、図３、図４および図５はそれぞれ図１に示す飲口付きキャップの平面図、底面図、図２のＡ側からみた側面図、図２のＡＡ′線にて切断した断面図である。図６は飲用缶のプルチップに飲口付きキャップを挿して開缶した状態を示す斜視図、図７は飲用缶に開缶後装着した状態を示す斜視図、図８は飲口付きキャップの飲口部を覆うシールの平面図である。
【００１９】
図において、幅広の糸底をもち側壁がまるみを帯びた椀の断面形状をした部分１は飲口付きキャップのほぼ平坦な頂部平面を形成しており、頂部１から緩やかな傾斜のテーパ部分２を介して円筒側壁部３に移行している。頂部１の糸底断面形状部からいくらか急な傾斜のテーパ部分４を介してテーパ部分２に移行している。
【００２０】
飲料流出口５は一方では椀の断面形状の頂部平面１の自由端と接し、他方では下口唇状の飲料ガイド６の基部により制限され、自由端側開口縁の曲線は直線から中央部に向かって僅かに膨らんだ形をしているが、しかし直線状になっていてもよい。流出口５の飲料ガイド６の基部側の開口縁は大きく２次曲線状に湾曲している。しかし円弧状に湾曲していてもよい。飲料ガイド６は飲口付きキャップの側壁３の円筒側壁部分より外方に張出しており、その張出しは下方から上方に向かって増加しているので、下口唇をその張出しの下方から当接させることができ、飲料を非常に飲込みやすくなっている。飲料流出口５は飲口付きキャップを飲料缶に装着したとき飲料缶の上蓋に取付けられたプルチップのタブの引上げより開缶した開口上に位置し、その開口を完全にカバーするような大きさになっている。
【００２１】
図３の飲口付きキャップ底面図から明らかなように飲料流出口５の開口の周縁は隆起したリブ状縁取り部７が形成されている。これは下口唇形飲料ガイド部６の支持強度を高め、かつ飲口付きキャップの頂部平面１およびテーパ部分２の強度を高める働きをしている。しかしリブ状縁取り部７は強度的に十分であれば省略することができる。
【００２２】
円筒側壁部３と環状内側壁部８との間にリング溝９が設けられている。このリング溝９内に、上蓋を缶胴上端に巻締め固定した筒状縁部が嵌入する。その際飲口付きキャップがリング溝に固定されるように、円筒側壁部３の内側にはリング溝９内へ僅かに出張った凸部１０が形成されている。この凸部１０はこれがなくてもリング溝９内に確実に缶端部の巻締筒状縁部に飲口付きキャップが保持できるときは省略することができる。
【００２３】
飲口付き頂部平面１の飲料流出口５とは直径方向で反対側、すなわち頂部糸底断面形状を有する側の円筒状外側壁部には開口した袋孔１１が設けられている。この袋孔１１に飲料缶のプルチップのタブを反転した状態で挿入できるように袋孔１１の長さが選定されている。したがって袋孔１１の開口の頂部平面１との間隔はプルチップのタブを挿入案内できるように狭く形成されている。袋孔１１の入口はプルチップのタブを入れやすくするためにテーパ１２がつけられている。
【００２４】
飲口付きキャップの頂部は袋孔１１の外壁を形成しており、袋孔１１の内側は図３において１３にて示されている。内壁１３に形成された孔１４は外気を飲口付きキャップと飲料缶の上蓋との間の空間に流入させるための空気孔である。これは缶の飲料を飲用しているとき飲料缶と飲口付きキャップとの間が負圧になるのを防止するのに役立つ。
【００２５】
この実施例では袋孔１１は飲口付きキャップの飲料流出口５とは周方向に丁度１８０°ずれた位置に配設されているが、飲料流出口から９０°以上周方向に離間していればよい。ただしその場合その袋孔１３の対応位置において頂部平面が存在するように肉厚を厚くしてその内壁に空気流入孔１４を設ける。
【００２６】
上述のように構成された本発明の飲口付きキャップの使用法について次に説明する。まず飲口付きキャップの上、下を反転して、その袋孔１１に飲料缶の上蓋に固定されたプルチップのタブを挿入し、挿入した状態で飲口付きキャップをプルチップ引上げ方向に上方向に向かって旋回する。そのようにして飲料缶のプルチップのタブとは反対側に流出口を簡単に開くことができる。
【００２７】
この開缶の後飲口付きキャップをタブから引抜き、反転状態から元の正常な状態に戻し、缶の流口口上に、飲口付きキャップの飲料流出口５が来るようにして、缶の缶胴１５の上端に上蓋を巻締固定した筒状縁部１６が、飲口付きキャップのリング溝９に嵌入するように飲口付きキャップを装着する。
【００２８】
飲用者は缶を手で持ち上げ、下口唇状飲料ガイド部６の外側下方から唇に当接して缶の飲料を飲むことができる。その際下口唇状飲料ガイドは、円筒側壁部３から側方に張出しており、その張出しは下方から上方に向かって増大しているので、飲料をこぼすことなく飲むことができる。したがって缶の上面が清浄であれば缶上面のほこり等が飲料と一緒に飲込まれることがない。
【００２９】
なお本発明では飲口付きキャップに少なくとも飲口部および缶の飲料を飲む際口唇の触れる範囲を剥取り可能なシール１７で被覆することもできる。
【００３０】
シール１７は飲口付きキャップの飲料流出口５、下口唇状飲料ガイド部６を有する飲口部及び飲料を飲むときに少なくとも口唇が触れる領域を覆う大きさを有しており、裏面に貼付剤が塗布されていると有利である。１８は使用特にその引き剥がしを容易にするタブである。
【００３１】
図示のシール１７の代わりに飲口付きキャップ全体をセロファン紙で覆い、それを切離リボンをピールオフすることにより除去するようにすることができる。
【００３２】
このように飲口付きキャップまたは缶上部も含めてシールにより被覆することにより飲口付きキャップの飲料流出口及び飲料の触れる部分並びに利用者の口唇の触れる範囲を清浄に保つことができる。
【００３３】
【発明の効果】
上述のように本発明により飲料缶の蓋に固定されたプルチップのタブを飲口付きキャップの袋孔中に入れて単に上方に向かって旋回することにより缶の流出孔を開くことが容易にできるのみならず飲口部の下口唇状飲料ガイドの外側に唇を当てて飲料をこぼすことなく衛生に飲むことができる。しかも飲口付きキャップは簡単な構造であるためプラスチック成形により容易に製造できる。
【図面の簡単な説明】
【図１】本発明の実施例の飲口付きキャップの斜視図である。
【図２】図１に示す飲口付きキャップの平面図である。
【図３】図１に示す飲口付きキャップの底面図である。
【図４】図２に示す飲口付きキャップをＡ−Ａ′線のＡ側からみた側面図である。
【図５】図２のＡ−Ａ′線にて切断した断面図である。
【図６】図１に示す飲口付きキャップにより開缶した状態を示す斜視図である。
【図７】図１に示す飲口付きキャップを開缶後に装着した状態を示す斜視図である。
【図８】飲口付きキャップの飲口部を含む部分を覆うシールの平面図である。
【符号の説明】
１　　椀の断面形状をした頂部
２　　テーパ部分
３　　円筒側壁部
４　　テーパ部分
５　　飲料流出口
６　　下口唇形飲料ガイド
７　　リブ状縁取り部
８　　環状内側壁部
９　　リング溝
１０　　凸部
１１　　袋孔
１２　　テーパ部分
１３　　袋孔の内壁
１４　　空気流入孔
１５　　缶胴
１６　　筒状縁部
１７　　シール
１８　　タブ
【図１】
2004123162.tif 000003
【図２】
2004123162.tif 000004
【図３】
2004123162.tif 000005
【図４】
2004123162.tif 000006
【図５】
2004123162.tif 000007
【図６】
2004123162.tif 000008
【図７】
2004123162.tif 000009
【図８】
2004123162.tif 000010